(57)【特許請求の範囲】
【請求項１】
ソケットシェルと該ソケットシェルの内側に該ソケットシェルの前端軸方向にばね圧力により付勢されると共に、該ソケットシェルに対して回動可能に設けられた複数のソケットコンタクトが装着されたソケットインサートとを備えたプラグコネクタと、
本体ケースと該本体ケースの略中央部に設けられたピンシェルと該ピンシェルの内側に前記複数のソケットコンタクトが接続される複数のピンコンタクトが装着されたピンインサートとを備えたレセプタクルコネクタとから構成されたコネクタであって、
前記レセプタクルコネクタの前記ピンシェルの内周前端部に設けられた位置決め用突起部と、
前記ピンシェルの外周後端部に対向して設けられた一対の係合ピンと、
前記プラグコネクタの前記ソケットインサートの外周面にその前端から軸方向に前記ピンシェルの内周前端部に形成された前記位置決め用突起部に係合するよう設けられた位置決め溝と、
前記ソケットシェルの前端部内周面の対向する位置に、前記ピンシェルの外周後端部に設けられた一対の前記係合ピンが係合するように設けられた前記ソケットシェルの前端から軸方向に立ち上がり続いて円周方向に所要長さに形成されその端部下方に窪みを有する溝と、
前記ソケットインサートの中間部に設けられた位置決めピンと、
該位置決めピンをガイドして前記ソケットシェルの回動範囲を前記溝の円周方向の所要の長さに合わせて規制しかつ固定するための該ソケットシェルの円周方向に設けられた端部に窪みを有するスリットとを備え、
前記レセプタクルコネクタに前記プラグコネクタを嵌合せしめた後、前記プラグコネクタの前記ソケットシェルを回動せしめ、該ソケットシェルの前記溝に前記ピンシェルの外周後端部に対向して設けられた一対の前記係合ピンを係合せしめると共に、前記位置決めピンを前記スリットの窪みに係合せしめて嵌合を固定するようにしたコネクタの嵌合固定構造。
【請求項２】
ショーティングシェルと該ショーティングシェルの内側に該ショーティングシェルの前端軸方向にばね圧力により付勢されると共に、該ショーティングシェルに対して回動可能に設けられたショーティングコンタクトが装着されたショーティングモールドとを備えたショーティングプラグと、
本体ケースと該本体ケースの略中央部に設けられたピンシェルと該ピンシェルの内側に前記複数のショーティングコンタクトが接続される複数のピンコンタクトが装着されたピンインサートとを備えたレセプタクルコネクタとから構成されたコネクタであって、
前記レセプタクルコネクタの前記ピンシェルの内周前端部に設けられた位置決め用突起部と、
前記ピンシェルの外周後端部に対向して設けられた一対の係合ピンと、
前記ショーティングプラグの前記ショーティングモールドの外周面にその前端から軸方向に前記ピンシェルの内周前端部に形成された前記位置決め用突起部に係合するよう設けられた位置決め溝と、
前記ショーティングシェルの前端部内周面の対向する位置に、前記ピンシェルの外周後端部に設けられた一対の前記係合ピンが係合するように設けられた前記ショーティングシェルの前端から軸方向に立ち上がり続いて円周方向に所要長さに形成されその端部下方に窪みを有する溝と、
前記ショーティングモールドの中間部に設けられた位置決めピンと、
該位置決めピンをガイドして前記ショーティングシェルの回動範囲を前記溝の円周方向の所要の長さに合わせて規制しかつ固定するための該ショーティングシェルの円周方向に設けられた端部に窪みを有するスリットとを備え、
前記レセプタクルコネクタに前記ショーティングプラグを嵌合せしめた後、前記ショーティングプラグの前記ショーティングシェルを回動せしめ、該ショーティングシェルの前記溝に前記ピンシェルの外周後端部に対向して設けられた一対の前記係合ピンを係合せしめると共に、前記位置決めピンを前記スリットの窪みに係合せしめて嵌合を固定するようにしたコネクタの嵌合固定構造。
【発明の詳細な説明】
【０００１】
【発明の属する技術分野】
本発明は丸形多芯コネクタ、例えばプラグコネクタとレセプタクルコネクタとの嵌合固定構造に関するものである。
【０００２】
【従来の技術】
従来の丸形多芯コネクタの嵌合固定構造は、図８の斜視図に示すようにプラグコネクタ１とレセプタクルコネクタ２との一般的な嵌合固定構造として、プラグコネクタ１の嵌合側にはプラグシェル３の内側に複数のソケットコンタクト４が内臓されたプラグブロック５が設けられ、プラグシェル３の外周面軸方向に幅が異なる複数の突状部６，７，８，９が等間隔にならないように設けられている。またプラグシェル３の外周にはリテナリングにより係止されたカップリングリング１０が回転自在に設けられると共に、そのカップリングリング１０の内周面には雌ねじ部又は雌ねじ部と同様な機能を有する斜めに形成された複数本の突状部（図示されていない。）が設けられている。
【０００３】
次にこのプラグコネクタ１の嵌合相手となるレセプタクルコネクタ２は、レセプタクルシェル１１の内側には複数のピンコンタクト１２が設けられ、レセプタクルシェル１１の内周面の軸方向に前記プラグシェル３の外周面軸方向に設けられた複数の突状部６，７，８，９が係合する複数個の嵌合溝１３，１４，１５，１６等が設けると共に、当該シェル１１の外周面には前記カップリングリング１０の内周面に設けられた雌ねじ部又は斜めに形成された複数本の突状部に係合する、雄ねじ部１７又は斜めに形成された複数個の溝が設けられている。
【０００４】
従って、プラグコネクタ１とレセプタクルコネクタ２とは、両者のシェル３，１１の軸方向に設けられた複数の突状部６，７，８，９と溝部１３，１４，１５，１６等とを位置合せして嵌め込んだ後、プラグコネクタ１のカップリングリング１０の内周面の雌ねじ部又は斜めに形成された複数本の突状部を、レセプタクルコネクタ２の外周面の雄ねじ部１７又は斜めに形成された複数個の溝に係合させて、カップリングリング１０を回動して両者の嵌合を固定しているものである。
【０００５】
【発明が解決しようとする課題】
しかしながら、プラグコネクタ１とレセプタクルコネクタ２の両者のコンタクトを嵌合した後に、両者の固定をカップリングリングにより行うようにしているため、少なくともカップリングリングの厚み分だけ外形が大きくなり、また軸方向の接続長さもカップリングリングの幅分だけは長くなる。更には何等かの振動によりねじが弛むなどの問題がある。
また、レセプタクルコネクタ２の端子間を短絡する場合の、ショーティングプラグを嵌合させる際にも同様な固定構造をのものが用いられており、前述したと同様な問題を有している。
【０００６】
【課題を解決するための手段】
本発明によるコネクタの嵌合固定構造は、ソケットシェルと該ソケットシェルの内側に該ソケットシェルの前端軸方向にばね圧力により付勢されると共に、該ソケットシェルに対して回動可能に設けられた複数のソケットコンタクトが装着されたソケットインサートとを備えたプラグコネクタと、本体ケースと該本体ケースの略中央部に設けられたピンシェルと該ピンシェルの内側に前記複数のソケットコンタクトが接続される複数のピンコンタクトが装着されたピンインサートとを備えたレセプタクルコネクタとから構成されたコネクタであって、前記レセプタクルコネクタの前記ピンシェルの内周前端部に設けられた位置決め用突起部と、前記ピンシェルの外周後端部に対向して設けられた一対の係合ピンと、前記プラグコネクタの前記ソケットインサートの外周面にその前端から軸方向に前記ピンシェルの内周前端部に形成された前記位置決め用突起部に係合するよう設けられた位置決め溝と、前記ソケットシェルの前端部内周面の対向する位置に、前記ピンシェルの外周後端部に設けられた一対の前記係合ピンが係合するように設けられた前記ソケットシェルの前端から軸方向に立ち上がり続いて円周方向に所要長さに形成されその端部下方に窪みを有する溝と、前記ソケットインサートの中間部に設けられた位置決めピンと、該位置決めピンをガイドして前記ソケットシェルの回動範囲を前記溝の円周方向の所要の長さに合わせて規制しかつ固定するための該ソケットシェルの円周方向に設けられた端部に窪みを有するスリットとを備え、前記レセプタクルコネクタに前記プラグコネクタを嵌合せしめた後、前記プラグコネクタの前記ソケットシェルを回動せしめ、該ソケットシェルの前記溝に前記ピンシェルの外周後端部に対向して設けられた一対の前記係合ピンを係合せしめると共に、前記位置決めピンを前記スリットの窪みに係合せしめて嵌合を固定するようにしたものである。
【０００７】
【発明の実施の形態】
図１は本発明に係るレセプタクルコネクタを示すもので、図１（ａ）は上面図，図１（ｂ）は図１（ａ）のＡ−Ａ断面図，図１（ｃ）は側面図，図１（ｄ）は図１（ａ）のＢ−Ｂ断面図，図１（ｅ）は図１（ａ）のＣ−Ｃ断面図である。
図１において２１はレセプタクルコネクタ、２２は本体ケースで略中央部にフランジ２３が設けられた円筒状の空間部２４が形成され、その空間部２４の後端部内周面には雌ねじ部２５が設けられている。また本体ケース２２の前面の空間部２４の左右には本体ケース２２を図示していない筐体等に固定するための取付雌ねじ部２６が形成され、本体ケース２２の後面端部には後述するケーブルを固定するための雌ねじ部２７が２か所設けられている。
【０００８】
２８は円筒状のピンシェルで後端部外周に本体ケース２２のフランジ２３に係合する鍔部２９が設けられ、内周中間部にフランジ３０が形成されると共に、先端内面には位置決め用突起部３１が設けられている。３２は絶縁材料からなるピンフロントインサートで、２個のピンコンタクト３３，３４の各鍔部３５を係止する段部３６が形成され、その先端周面はピンシェル２８のフランジ３０に係止されるようになっている。なおピンコンタクト３３，３４の後端部３７はケーブル心線が半田付け等により接続されるようになっている。３８は絶縁材料からなるピンリアインサートでピンコンタクト３３，３４の鍔部３５を押圧するようになっている。３９はピンリアインサート３８をフリクションワッシャー４０を介して固定する円筒状の固定ナットで、本体ケース２２の雌ねじ部２５に螺合により装着してピンリアインサート３８をピンフロントインサート３２側に押し付け、ピンコンタクト３３，３４を本体ケース２２に確実に固定するものである。
【０００９】
４１，４２は位置決めピンでピンフロントインサート３２の外周面の対向する位置にピンシェル２８を貫通して圧入されている。４３は２心シールド付ケーブルでその心線４４が前述した通りピンコンタクト３３，３４に接続される。４５はケーブル４３を本体ケース２２に固定するためのクランプで、取付ねじ４６及びバネ座金４７とで本体ケース２２の雌ねじ部２７に取り付けられる。４８は取付ねじ４６に装着されたラグ端子で、シールド線が接続される。４９はピンシェル２８のフランジ３０の外側の周縁に装着されたガスケット、５０はピンコンタクト３３，３４にそれぞれ装着されたＯリングである。５１は固定ナット３９の内周空間部に注入されたウレタンモールドでコンタクト部への水分の侵入を防止しているものである。
【００１０】
図２は本発明に係るプラグコネクタを示すもので、図２（ａ）は上面図，図２（ｂ）は図２（ａ）のＡ−Ａ断面図，図２（ｃ）は下面図、図２（ｅ）は図２（ｂ）のＢ−Ｂ断面図，図２（ｄ）は正面図，図２（ｆ）は背面図である。
図２において５２はプラグコネクタ、５３はソケットシェルで略円筒状に形成されており、上端内周面にフランジ５４が設けられると共に、その上部にこのソケットシェル５３を回転させるための棒状のハンドル５５、５６が形成されていて、一方のハンドル５６の上面の長手方向に溝５７が設けてあって、この溝５７に着色塗料が詰められレセプタクルコネクタ２１に対する装着位置の目安としている。なお、ソケットシェル５３に設けられている溝又はスリットについては後述する。
【００１１】
６１はソケットシェル５３の内部に設けられた絶縁材料からなるソケットインサートＡで、図３にこのソケットインサートＡ６１単体の図面を示してある。即ち、図３（ａ）は上面図，図３（ｂ）は図３（ａ）のＡ−Ａ断面図，図３（ｃ）は下面図、図３（ｄ）は図３（ｂ）のＢ−Ｂ断面図，図３（ｅ）は図３（ｂ）のＣ−Ｃ断面図である。図２，図３において６１はソケットインサートＡで、２個のソケットコンタクト６２，６３の板状部分が挿入される細長いソケットコンタクト挿通孔６４と、線状のアースコンタクト６５が挿入される小孔のアースコンタクト挿通孔６６とが設けられており、上端部は略円筒状に、また下端部は略円柱状に形成されている。下端部の円柱状の部分にはソケットコンタクト６２，６３のノッチ部６７が配置される２個の円筒空間６８が形成されている。
【００１２】
またアースコンタクト６５のレセプタクルコネクタ２１のピンシェル２８への接触部分６９が配置される部分は、溝部７０として形成されている。またこの溝部７０と対向する反対側の位置には、レセプタクルコネクタ２１のピンシェル２８の先端内面の位置決め用突起部３１が挿入される位置決め溝７１が設けられている。上端部の円筒状部分の先端外周部には段部７２が形成され、その下方内周面には後述するソケットインサートＢを係止する係止溝７３が形成されている。この係止溝７３の上方内面２か所にソケットインサートＢに対する回転防止用の突起部７４が設けてある。またソケットインサートＡ６１の位置決め溝７１の上方にはソケットシェル５３との位置決めピン７５が圧入される小孔７６が設けてある。
【００１３】
８１は図２（ｂ）（ｄ）に示すようにソケットシェル５３の上端部から嵌入されている絶縁材料からなるソケットインサートＢで、図４にこのソケットインサートＢ８１単体の図面を示してある。即ち、図４（ａ）は上面図，図４（ｂ）は図４（ａ）のＡ−Ａ断面図，図４（ｃ）は図４（ａ）のＢ−Ｂ断面図，図４（ｄ）は下面図である。
図２及び図４においてソケットインサートＢ８１は略円筒状に形成されていて、上部にはソケットシェル５３の上端部に係止される突出部８２が２か所に設けられると共に、２心シールド付ケーブル８３の導入する円形の切り欠き部８４が設けられている。またソケットインサートＢ８１の中間部より下方は、スリット８５，８６，８７により区分され、その先端部が鉤状の係止爪８８が設けられた係止部８９が形成されている。
【００１４】
この係止部８９の先端の係止爪８８は、ソケットインサートＡ６１の係止溝７３に嵌入され両者は結合されるものである。ソケットインサートＢ８１の区分された係止部８９は、通常のスリット８５の５個とソケットインサートＡ６１の回転防止用の突起部７４に係合する若干幅の広いスリット８６の２個と、円形の切欠き部８４の真下に形成される深さの浅いスリット８７の１個の合計８個のスリットにより８個の係止部８９が形成されている。
【００１５】
図２（ｂ）（ｅ）に示してある９１はフリクションワッシャーで、ソケットインサートＡ６１の段部７２に挿入されている。９２はターン数の少ない例えば２ターンのコイルスプリングで、ソケットシェル５３のフランジ５４の下面とソケットインサートＡ６１の段部７２に挿入されているフリクションワッシャー９１との間に装着されている。従って、ソケットインサートＡ６１とソケットインサートＢ８１とは、コイルスプリング９２の作用によりソケットシェル５３の下方に押し下げられるよう付勢されている。なお、２心シールド付ケーブル８３の心線９３はソケットコンタクト６２，６３に、また同ケーブル８３のシールド編組９４はアースコンタクト６５にそれぞれ半田付け等により接続されている。
【００１６】
図２（ａ）（ｂ）（ｅ）に示されているソケットインサートＢ８１と、ソケットインサートＡ６１との内周面によって形成されている空間部９５にはウレタンモールドが注入されて、ソケットインサートＡ６１とソケットインサートＢ８１との一体化、ソケットコンタクト６２，６３とアースコンタクト６５及びケーブル８３の固定と共に、コンタクト部への水分の侵入を防止している。
【００１７】
次に前述のソケットシェル５３の構造、特に溝及びスリットについて説明する。図２（ｄ）は略円筒状に形成されたプラグコネクタ５２の正面図で、下方の肉厚部１０１の中央下端から上方に向けて縦溝１０２（点線で示す。）が形成され、この縦溝１０２は肉薄部１０３で縦スリット１０４として形成される。この縦溝１０２の肉厚部分１０１の立ち上がり途中から右方向に横スリット１０５が形成され、その先端部は下方に窪み１０６が設けられている。この横スリット１０５が形成されている長さに対応する角度は、約５５°程度である。この肉厚部分１０１の縦溝１０２と横スリット１０５及び窪み１０６は、レセプタクルコネクタ２１のピンフロントインサート３２に設けてある位置決めピン４１をガイドするものである。
【００１８】
前述の縦スリット１０４は、ソケットインサートＡ６１に設けられた位置決めピン７５の少し上方まで伸び、続いて右方向に横スリット１０７が形成され、先端部には前述の横スリット１０５と同様に下方に窪み１０８が設けられている。また横スリット１０７の形成角度も横スリット１０５と同様に約５５°程度である。この縦スリット１０４の上部と横スリット１０７及び窪み１０８は、前述の位置決めピン７５をガイドするものである。
【００１９】
また、図２（ｆ）はプラグコネクタ５２の背面図で、前述した図２（ｄ）の正面図の下方の肉厚部分１０１の縦溝１０２と横スリット１０５及び窪み１０６の対応する位置に同様な溝が形成されている。即ち、下方の肉厚部分１０１の下端から上方に向けて縦溝１１１（点線で示す。）が形成され、肉厚部分１０１の途中で右方向に横スリット１１２が形成され、その先端部は下方に窪み１１３が設けられている。この横スリット１１２が形成されている角度は、正面側の横スリット１０５と同様の角度である。この肉厚部分１０１の縦溝１１１と横スリット１１２及び窪み１１３は、レセプタクルコネクタ２１のピンフロントインサート３２に設けてある位置決めピン４２をガイドするものである。
【００２０】
次にレセプタクルコネクタ２１とプラグコネクタ５２との嵌合固定機能について説明する。まず、レセプタクルコネクタ２１のピンシェル２８の先端内面の位置決め用突起部３１を、プラグコネクタ５２のソケットインサートＡ６１の先端から軸方向に設けられている位置決め溝７１に合わせることにより、レセプタクルコネクタ２１のピンコンタクト３３，３４とプラグコネクタ５２のソケットコンタクト６２，６３が一致し、プラグコネクタ５２はレセプタクルコネクタ２１に挿入される。
【００２１】
この挿入はプラグコネクタ５２のソケットシェル５３を持って押し込まれるもので、この両者の挿入が深くなって行くと、その過程でレセプタクルコネクタ２１のピンフロントインサート３２に圧入されている位置決めピン４１，４２が、それぞれプラグコネクタ５２のソケットシェル５３の縦溝１０２，１１１に挿入され、両者が完全に押し込まれた状態では、位置決めピン４１，４２は縦溝１０２，１１１から横方向に伸びる横スリット１０５，１１２の位置まで挿入される。このときソケットインサートＡ６１の位置決めピン７５も、横スリット１０７の入り口まで押し上げられる。
【００２２】
この状態でプラグコネクタ５２のソケットシェル５３を右方向に回転させると、レセプタクルコネクタ２１の位置決めピン４１，４２はプラグコネクタ５２の横スリット１０５，１１２を、またプラグコネクタ５２の位置決めピン７５は横スリット１０７を相対的に移動して、各横スリットの先端部まで入り込む。この状態でプラグコネクタ５２のソケットシェル５３から操作力を除去すると、即ちソケットシェル５３から手を放すと、今までプラグコネクタ５２のソケットシェル５３のフランジ５４とソケットインサートＡ６１の段部７２との間に挿入されて圧縮されていたコイルスプリング９２が、その復元力によりソケットシェル５３を押し上げ、レセプタクルコネクタ２１の位置決めピン４１，４２はプラグコネクタ５２の横スリット１０５，１１２の窪み１０６．１１３に、またプラグコネクタ５２の位置決めピン７５は横スリット１０７の窪み１０８に落ち込んだ状態になる。従って、両者の嵌合状態は確実に維持される。
【００２３】
なお、ソケットシェル５３の肉厚部分１０１に形成された横スリット１０５，１１２及びその窪み１０６．１１３を、スリットではなく表面に切り込みが見えない溝として形成させてもよい。
また、両者の嵌合状態においては、プラグコネクタ５２のアースコンタクト６５の接触部分６９が、レセプタクルコネクタ２１のピンシェル２８の内面に接触するもので、確実にシールド線をアースに落とすことができる。
この嵌合を外す場合は、プラグコネクタ５２のソケットシェル５３を少し押し込んで、位置決めピン４１，４２，７５を各窪み１０６，１１３，１０８から浮き上がらせた後左側に回転させ、各レセプタクルコネクタ２１の位置決めピン４１，４２とプラグコネクタ５２の位置決めピン７５を、各縦溝１０２，１１１と縦スリット１０４の位置に合わせ、プラグコネクタ５２をレセプタクルコネクタ２１から抜き取るものである。
【００２４】
次にレセプタクルコネクタ２１のピンコンタクト３３，３４を短絡させるために嵌合するショーティングプラグを図５に基づいて説明する。
図５（ａ）は上面図，図５（ｂ）は図５（ａ）のＡ−Ａ断面図，図５（ｃ）は図４（ｂ）のＢ−Ｂ断面図，図５（ｄ）は下面図，図５（ｅ）は正面図，図５（ｆ）は背面図である。
図５において１２１はショーティングプラグ、１２２は略円筒状のショーティングシェルで少し上方の内周面にフランジ１２３が設けられている。１２４は絶縁材料からなるショーティングモールドで、レセプタクルコネクタ２１に嵌合される下方には、ショーティングコンタクトの２つの端子１２６が装着される円筒状の２つの空間部１２７と、２つの端子１２６の連結分１２８が嵌め込まれる嵌合孔１２９が設けられている。
【００２５】
またショーティングモールド１２４の嵌合側の外周の軸方向に、レセプタクルコネクタ２１のピンシェル２８の先端内面の位置決め用突起部３１が挿入される位置決め溝１３０が設けられると共に、後端部にはショーティングシェル１２２のフランジ１２３に係合する鍔部１３１が形成され、かつ後述するショーティングシェル１２２に設けられている溝又はスリットに係合する位置決めピン１３２が圧入されている。
１３３はショーティングシェル１２２の後端部に圧入等により装着されているキャップで、このキャップ１３３には中央部に雌ねじ部１３４が、またその左右に小孔１３５が設けられている。これはレセプタクルコネクタ２１に対してショーティングシェル１２２の着脱を行う場合の着脱用治具を取り付けるねじ孔等である。
【００２６】
１３６はターン数の少ない例えば２ターンのコイルスプリングで、ショーティングモールド１２４の後端の鍔部１３１とキャップ１３３との間に装着されていて、ショーティングモールド１２４を常に下方に押し下げる作用をしているものである。
ショーティングシェル１２２には、プラグコネクタ５２のソケットシェル５３に設けられている縦溝１０２，１１１，縦スリット１０４，横スリット１０５，１１２，１０７及び窪み１０６，１１３，１０８に該当する溝，スリット及び窪みが設けられている。即ち、縦溝１３７，１３８，縦スリット１３９，横スリット１４０，１４１，１４２及び窪み１４３，１４４，１４５である。
【００２７】
これらの溝，スリット及び窪みは、プラグコネクタ５２の説明と同様に、レセプタクルコネクタ２１の位置決めピン４１，４２及びショーティングモールド１２４に設けられている位置決めピン１３２が係合して、レセプタクルコネクタ２１にショーティングプラグ１２１を嵌合固定するものである。
なお、前述したショーティングコンタクト１２５は図６（ａ）の正面図（連結部の構造が分かるよう一部カットしてある。），図６（ｂ）の上面図，図６（ｃ）の側面図及び図６（ｄ）の下面図に示すような構造であり、端子１２６，１２６の連結分１２８は角張ったＵ字状に形成されたショーティングモールド１２４の嵌合孔１２９に挿入されている。また、端子１２６の下方に突き出ている矢筈状の嵌合部１４６，１４６がショーティングモールド１２４の空間部１２７の下部溝１４７に嵌入されるようになっている。
【００２８】
また、図７に着脱用治具１５１を示してあるのでその構造の概略を説明する。図７（ａ）は上面図，図７（ｂ）は正面図，図７（ｃ）は図７（ａ）のＡ−Ａ断面図，図７（ｄ）は側面図，図７（ｅ）は下面図である。図７において、１５２は着脱ねじで上端部には回転操作部１５３が設けられ、軸部１５４を経て下端部に雄ねじ部１５５が設けられている。１５６は着脱ボディで略中央部に着脱ねじ１５２の軸部１５４をガイドするガイド孔１５７が設けられ、下端部には着脱ねじ１５２の雄ねじ部１５５が螺合する雌ねじ部１５８が設けられている。１５９はＥ形止め輪で着脱ねじ１５２の首細部１６０の上部に形成された溝部１６１に嵌め込まれ、着脱ボディ１５６に対する着脱ねじ１５２の上下方向の移動範囲を規制するものである。１６２は着脱ボディ１５６の下端部に圧入された２本の平行ピンである。
【００２９】
レセプタクルコネクタ２１に対するショーティングプラグ１２１の着脱操作は、ショーティングプラグ１２１のキャップ１３３に設けられた２個の小孔１３５に着脱治具１５１の２本の平行ピンを挿入し、着脱ねじ１５２を回転させ雄ねじ部１５５を下方に突き出るようにして、ショーティングプラグ１２１のキャップ１３３の雌ねじ部１３４に螺合せしめ、ショーティングプラグ１２１をレセプタクルコネクタ２１に嵌合させた後、着脱ボディ１５６を下方に押した状態で手操作により回転させて、レセプタクルコネクタ２１の位置決めピン４１，４２に対してショーティングプラグ１２１の横スリット１４０，１４１を、またショーティングモールド１２４の位置決めピン１３２に対してショーティングシェル１２２をそれぞれ移動させ、各位置決めピン４１，４２，１３２を各窪み１４３，１４４，１４５に係合させる。
【００３０】
その後、着脱治具１５１をショーティングプラグ１２１から取り外す。また、ショーティングプラグ１２１をレセプタクルコネクタ２１から取り外す場合は、前述の装着と逆の操作により行うものである。
なお、前述の説明はショーティングプラグ１２１の高さを最小にするために、着脱治具１５１を用いるようにしたものであるが、高さに余裕がある場合はショーティングプラグ１２１のキャップ１３３の上面部分に、例えば図２に示したプラグコネクタ５２のソケットシェル５３に形成された、棒状のハンドル５５、５６のような操作部を設けてもよい。
【００３１】
【発明の効果】
以上詳細に説明したように本発明によるコネクタの嵌合固定構造は、従来のようにカップリングリングを用いる必要がないため、レセプタクルコネクタ及びプラグコネクタの長さ又は高さを低くすることができ、取付部の省スペース化を図ることができる。また、両者の嵌合固定が簡単に行い得るにも拘らず、固定が確実で振動に対しても弛むことのない信頼性の高い固定構造であり、更には嵌合時の誤嵌合を防止できるなどの効果を奏するものである。
【図面の簡単な説明】
【図１】本発明に係るレセプタクルコネクタの一実施例を示す上面図，Ａ−Ａ断面図，側面図，Ｂ−Ｂ断面図及びＣ−Ｃ断面図である。
【図２】本発明に係るプラグコネクタの一実施例を示す上面図，Ａ−Ａ断面図，下面図、Ｂ−Ｂ断面図，正面図及び背面図である。
【図３】本発明に係るプラグコネクタに用いられるソケットインサートＡの一実施例を示す上面図，Ａ−Ａ断面図，下面図、Ｂ−Ｂ断面図及びＣ−Ｃ断面図である。
【図４】本発明に係るプラグコネクタに用いられるソケットインサートＢの一実施例を示す上面図，Ａ−Ａ断面図，Ｂ−Ｂ断面図及び下面図である。
【図５】本発明に係るショーティングプラグの一実施例を示す上面図，Ａ−Ａ断面図，Ｂ−Ｂ断面図，下面図，正面図及び背面図である。
【図６】本発明に係るショーティングプラグに用いられるショーティングコンタクトの一実施例を示す正面図，上面図，側面図及び下面図である。
【図７】本発明に係るショーティングプラグをレセプタクルコネクタに対して着脱を行なわせる着脱用治具の一実施例を示す上面図，正面図，Ａ−Ａ断面図，側面図及び下面図である。
【図８】従来の丸形多芯コネクタの嵌合構造の一例を示すレセプタクルコネクタとプラグコネクタの斜視図である。
【符号の説明】
１，５２  プラグコネクタ
２，２１  レセプタクルコネクタ
３  プラグシェル
４  ソケットコンタクト
５  プラグブロック
６，７，８，９  突状部
１０  カップリングリング
１１  レセプタクルシェル
１２，３３，３４  ピンコンタクト
１３，１４，１５，１６  嵌合溝
１７  雄ねじ部
２２  本体ケース
２３，３０，５４  フランジ
２４  空間部
２５，２７  雌ねじ部
２６  取付雌ねじ部
２８  ピンシェル
２９  鍔部
３１  位置決め用突起部
３２  ピンフロントインサート
３５  ピンコンタクトの鍔部
３６  ピンフロントインサートの段部
３７  ピンコンタクトの後端部
３８  ピンリアインサート
３９  固定ナット
４０  フリクションワッシャー
４１，４２  位置決めピン
４３，８３  ２心シールド付ケーブル
４４，９３  ケーブルの心線
４５  クランプ
４６  取付ねじ
４７  バネ座金
４８  ラグ端子
４９  ガスケット
５０  Ｏリング
５１  ウレタンモールド
５３  ソケットシェル
５５，５６  ハンドル
５７  ハンドルの溝
６１  ソケットインサートＡ
６２，６３  ソケットコンタクト
６４  ソケットコンタクト挿通孔
６５  アースコンタクト
６６  アースコンタクト挿通孔
６７  ノッチ部
６８  円筒空間部
６９  アースコンタクトの接触部分
７０  ソケットインサートＡの溝部
７１  位置決め溝
７２  ソケットインサートＡの段部
７３  係止溝
７４  突起部
７５  位置決めピン
７６  位置決めピンの圧入用小孔
８１  ソケットインサートＢ
８２  突出部
８４  切り欠き部
８５，８６，８７  スリット
８８  係止爪
８９  係止部
９１  フリクションワッシャー
９２  コイルスプリング
９４  シールド編組
９５  空間部
１０１  ソケットシェルの肉厚部
１０２，１１１，１３７，１３８  縦溝
１０３  ソケットシェルの肉薄部
１０４，１３９  縦スリット
１０５，１０７，１１２，１４０，１４１，１４２  横スリット
１０６，１０８，１１３，１４３，１４４，１４５  窪み
１２１  ショーティングプラグ
１２２  ショーティングシェル
１２３  フランジ
１２４  ショーティングモールド
１２５  ショーティングコンタクト
１２６  ショーティングコンタクトの端子
１２７  ショーティングモールドの空間部
１２８  ショーティングコンタクトの連結部
１２９  嵌合孔
１３０  位置決め溝
１３１  鍔部
１３２  位置決めピン
１３３  キャップ
１３４  雌ねじ部
１３５  小孔
１３６  コイルスプリング
１４６  ショーティングコンタクトの矢筈部
１４７  下部溝
１５１  着脱用治具
１５２  着脱ねじ
１５３  回転操作部
１５４  軸部
１５５  雄ねじ部
１５６  着脱ボディ
１５７  ガイド孔
１５８  雌ねじ部
１５９  Ｅ形止め輪
１６０  首細部
１６１  溝部
１６２  平行ピン
【図１】
0003751460.tif 000002
【図２】
0003751460.tif 000003
【図３】
0003751460.tif 000004
【図４】
0003751460.tif 000005
【図５】
0003751460.tif 000006
【図６】
0003751460.tif 000007
【図７】
0003751460.tif 000008
【図８】
0003751460.tif 000009